(57)【特許請求の範囲】
【請求項１】
第一方向に配置された、各々の第一糸が複数の第一糸フィラメントの第一糸主体を含んでなる、第一糸セットと、
第二方向に配置された、各々の第二糸が複数の第二糸フィラメントの第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、フィラメント１インチ当たり０．０１個の第一糸接続部ないしフィラメント１インチ当たり０．５個の第一糸接続部を有し、
第一糸接続部は、第一糸から隣接第二糸の第二糸主体中へと伸びる第一糸フィラメントおよび第二糸上に浮かぶ第一糸の第一糸主体中へと伸びる第二糸フィラメントであり；および
複数の第二糸は、３〜２０本の第一糸上に浮かび、
第一糸上に浮かぶ第二糸は、フィラメント１インチ当たり０．０１個の第二糸接続部ないしフィラメント１インチ当たり０．５個の第二糸接続部を有し、
第二糸接続部は、第二糸から隣接第一糸の第一糸主体中へと伸びる第二糸フィラメントおよび第一糸上に浮かぶ第二糸の第二糸主体中へと伸びる第一糸フィラメントである、織布。
【請求項２】
第二糸上に浮かぶ各第一糸との第一糸接続部は、フィラメント１インチ当たり０．０４個の第一糸接続部ないしフィラメント１インチ当たり０．２個の第一糸接続部である、請求項１に記載の織布。
【請求項３】
第一糸上に浮かぶ各第二糸との第二糸接続部は、フィラメント１インチ当たり０．０４個の第二糸接続部ないしフィラメント１インチ当たり０．２個の第二糸接続部である、請求項１に記載の織布。
【請求項４】
第一方向に配置された、各々の第一糸が複数の第一糸フィラメントの第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、フィラメント１インチ当たり０．０１個の接続部ないしフィラメント１インチ当たり０．５個の接続部を有し、
接続部は、第一糸から隣接第二糸の第二糸主体中へと伸びる第一糸フィラメントおよび第二糸上に浮かぶ第一糸の第一糸主体中へと伸びる第二糸繊維である、織布。
【請求項５】
第二糸上に浮かぶ各第一糸の間の接続部は、フィラメント１インチ当たり０．０４個の接続部ないしフィラメント１インチ当たり０．２個の接続部である、請求項４に記載の織布。
【請求項６】
第一方向に配置された、各々の第一糸が複数の第一糸繊維の第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、糸１ミリメートル当たり０．１個の第一糸接続部ないし糸１ミリメートル当たり５個の第一糸接続部を有し、
第一糸接続部は、第一糸から隣接第二糸の第二糸主体中へと伸びる第一糸繊維および第二糸上に浮かぶ第一糸の第一糸主体中へと伸びる第二糸繊維であり；および
複数の第二糸は、３〜２０本の第一糸上に浮かび、
第一糸上に浮かぶ第二糸は、糸１ミリメートル当たり０．１個の第二糸接続部ないし糸１ミリメートル当たり５個の第二糸接続部を有し、
第二糸接続部は、第二糸から隣接第一糸の第一糸主体中へと伸びる第二糸繊維および第一糸上に浮かぶ第二糸の第二糸主体中へと伸びる第一糸繊維である、織布。
【請求項７】
第二糸上に浮かぶ各第一糸との第一糸接続部は、糸１ミリメートル当たり０．４個の第一糸接続部ないし糸１ミリメートル当たり２個の第一糸接続部である、請求項６に記載の織布。
【請求項８】
第一糸上に浮かぶ各第二糸との第二糸接続部は、糸１ミリメートル当たり０．４個の第二糸接続部ないし糸１ミリメートル当たり２個の第二糸接続部である、請求項６に記載の織布。
【請求項９】
第一方向に配置された、各々の第一糸が複数の第一糸繊維の第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、糸１ミリメートル当たり０．１個の接続部ないし糸１ミリメートル当たり５個の接続部を有し、
接続部は、第一糸から隣接第二糸の第二糸主体中へと伸びる第一糸繊維および第二糸上に浮かぶ第一糸の第一糸主体中へと伸びる第二糸繊維である、織布。
【請求項１０】
第二糸上に浮かぶ各第一糸の間の接続部は、糸１ミリメートル当たり０．４個の接続部ないし糸１ミリメートル当たり２個の接続部である、請求項９に記載の織布。
【発明の詳細な説明】
【技術分野】
【０００１】
本発明は、布構造を安定化するのを助ける内部接続要素を有する布に関する。
【背景技術】
【０００２】
多くの方法が、編布または織布の構造を安定化するために使用されてきた。コーティングは、糸が動くことを防ぐために付与されてきた。しかしながら、コーティングだけでは、布にさらなる所望の特性を与えることはできない。最近、水流絡合として知られる加工が用いられ、織布を安定化している。水流絡合は、流体ジェットを使用して、糸の主体から伸びる繊維を別の糸の主体から伸びる繊維と強制的に絡ませる。
【発明の開示】
【発明が解決しようとする課題】
【０００３】
しかしながら、水流絡合加工は、時々、流体ジェットによる絡合を作るために必要な多数の自由繊維に起因して、布の審美性に影響を及ぼし得る。したがって、他の方法によって安定化された布、および布を安定化するための特定の方法に対する要望が存在する。
【課題を解決するための手段】
【０００４】
（詳細な説明）
ここで図１を参照して、本発明の一実施態様を示す布１０を示す。布１０は、第一側１０１と第二側１０２を有する織布である。布１００は、第一糸セットまたは縦糸１１０と、織り交わって布１００を形成するための第二糸セットまたはフィル糸１２０とから形成される。縦糸１１０は、布１００の第一側１０１上に縦糸第一側浮糸１０６を形成し、布１００の第二側１０２上に縦糸第二側浮糸１０７を形成する。フィル糸１２０は、布１００の第一側１０１上にフィル糸第一側浮糸１０８を形成し、布１００の第二側１０２上にフィル糸第二側浮糸１０９を形成する。
【０００５】
縦糸１１０は、縦糸主体１１２を形成する縦糸繊維１１１を含んでなり得る。ここで使用されるように、糸の主体は、糸自身と実質的に同一方向に配向された糸の繊維群を意味する。また、フィル糸１２０は、フィル糸主体１２２を形成するフィル糸繊維１２１を含んでなる。縦糸接続要素１１３は、フィル糸主体１２２中におよび／または一本より多くのフィル糸１２０のフィル糸主体１２２の間に突出する縦糸繊維１１１の部分によって形成される。同様に、フィル糸接続要素１２３は、縦糸主体１１２中におよび／または一本より多くの縦糸１１０の縦糸体１１２の間に突出するフィル糸繊維１２１の部分によって形成される。縦糸接続要素１１３は、フィル糸主体１２２のフィル糸繊維１２１によって、フィル糸１２０に固定される。同様に、フィル糸接続要素１２３は、縦糸主体１１２の縦糸繊維１１１によって、固定される。縦糸接続要素１１３は、縦糸１１０とフィル糸１２０とを織り交ぜることによって与えられた予め存在する固定に加えて、上記布１００中への縦糸１１０の特別な固定を与える。同様に、フィル糸接続要素１２３は、縦糸１１０とフィル糸１２０とを織り交ぜることによって与えられた固定に加えて、布１００中へのフィル糸１２０の特定の固定を与える。これらのタイプの接続部は、布を処理する多くの水流絡合方法で経験されるような、一つの糸から大体外側および少なくとも部分的に放射状に伸びる繊維と別の糸から大体外側および少なくとも部分的に放射状の方向に伸びる繊維との絡合によって糸の間に形成された接続部と対照をなす。
【０００６】
接続要素（縦糸接続要素１１３およびフィル糸接続要素１２３）は、糸が布中に浮かぶように糸中に存在する。したがって、接続要素は、縦糸第一側浮糸１０６とフィル糸第一側浮糸１０８を布１００の第一側１０１上に固定するのを助け、また、縦糸第二側浮糸１０７とフィル糸第二側浮糸１０９を布１００の第二側１０２に固定するのを助ける。
【０００７】
布１００は、浮糸を有する布（例えば、斜子織物、綾織物、朱子織物、または、少なくとも糸セット由来の一つの糸が、他の糸セット由来の３本以上の糸を越えて伸びるパターンを作る任意の他のウィービング様式）である。布１００に適したウィーブパターンの例としては、斜子織物、綾織物、朱子織物、浮糸を作るドビー加工により織られた布、浮糸を作るジャカード加工により形成された布、または、浮糸が作られた任意の他の同様の布が挙げられる。布１００は、他の糸セット中の３〜２０本の糸から浮かぶ糸を有し得る。好適な実施態様において、布１００は、他のセット中の３〜９本の糸から浮かぶ糸を有する。
【０００８】
一実施態様において、布１００を形成する糸は、約１００デニール〜約１２００デニールの糸の大きさを有する。好適な一実施態様において、布１００を形成する糸は、約１５０デニール〜約７５０デニールの糸の大きさを有する。好適な一実施態様において、縦糸繊維１１１およびフィル糸繊維を形成する繊維は、フィラメント繊維を含んでなり、これによりマルチフィラメント糸を形成する。別の実施態様において、縦糸繊維１１１およびフィル糸繊維１２１を形成する繊維は、縦糸１１０およびフィル糸１２０がスパン糸であるようにステープル繊維である。さらなる別の実施態様において、縦糸１１０は、スパン糸を含んでなり得、そしてブリスター糸１２０は、フィラメント糸を含んでなり得る。本発明をフィラメント繊維とステープル繊維とを組み合わせた糸で実施することが意図される。複合フィラメントおよびステーブル繊維糸を縦糸１１０に使用することができ、および／または、上記組合せにおいて、フィル糸１２０をフィラメント糸および／またはスパン糸のいずれかの代用物として使用することができる。本発明におけるフィラメント糸および／またはスパン糸の繊維は、天然または人造材料から形成され得る。例えば、天然材料は、繊維として使用される、動物、植物、または鉱物起源の材料を含み得る。人造材料は、化合物から合成されたポリマー、変性天然材料および鉱物などを含み得る。
【０００９】
接続部の起源は糸内に由来し、そして接続部は糸を固定することから、糸の距離当たりの総接続部の数（特定糸に由来する接続部および特定糸によって固定された接続部の両方の合計）を理解することは有益である。一実施態様において、布１００中に浮かぶ糸は、合計で糸１ミリメートル当たり約０．１個の接続部ないし糸１ミリメートル当たり約５個の接続部を有する。好適な実施態様において、浮糸の領域中の糸は、合計で糸１ミリメートル当たり約０．４個の接続部ないし糸１ミリメートル当たり約２個の接続部を含有する。
【００１０】
糸の繊維は、接続部の起源であることから、異なる糸は、接続部用の繊維の異なる利用性および糸の繊維含量に基づく接続部の量についての異なる要求を有する。フィラメント距離の測定値は、糸束中のフィラメントの数を乗じたフィラメントを有する糸の長さである。したがって、布１００中に浮かぶ糸の領域について、糸のフィラメント距離当たりの総接続部の数（特定糸に由来する接続部および特定糸により固定された接続部の両方の合計）を理解することは有益である。一実施態様において、浮かぶ糸の領域において、糸は、フィラメント１インチ当たり少なくとも約０．０１個の接続部ないしフィラメント１インチ当たり約０．５個の接続部を有する。好適な実施態様において、浮糸の領域中の糸は、フィラメント１インチ当たり約０．０４個の接続部ないしフィラメント１インチ当たり約０．２個の接続部を有する。
【００１１】
本発明の一つの製造方法において、さらに加工される布は、形成され、次いで、ニードリング加工を受ける。一実施態様において、布は、標準ウィービング技術、ジャカードウィービング、ドビーウィービング、または糸が布の他の糸を越えてウィーブパターン中に浮かぶようにされる任意の他の形態によって形成され得る。
【００１２】
加工される形成された布は、針床を布中に挿入することによって布を針で縫うニードリング機械に送られる。典型的に、ニードリング機械は、布の表面に大体垂直な方向にて、針を布に挿入し、そして針を引き出す。受板は、針床の反対側にて布に支持を与え、そして針が布を完全に通ることを可能にする開口部を有する。針は、布のいずれかの側か、または布の両側にて、挿入され、引き出され得る。一つの側のみから針を挿入することによって、接続部は、布の針が挿入される側の糸の部分によってのみ生じる。針床の一回の挿入によって与えられ得るよりも、平方領域当たり多くの針挿入が要求される場合、針床は布の特定領域中に一回よりも多く挿入され得るか、または、複数の針床が使用され、同一領域中に挿入され得る。一実施態様において、ニードリング機械は、布が機械中に、機械を通って移動し、そして機械から出てくる際、直線方向（機械方向）の針床と布との間の相対運動をほとんど生じないか、または生じないように、針を布中に挿入する。針床と布との間の相対直線運動は、針が布に挿入され、そして布から除かれる際、針床を布の運ばれる方向に動かすことによって達成され得る。布が針で縫われた後、裏面コーティングは、種々の既知の方法（例えば、ナイフコーティング、発泡コーティング、コンビネーション、スプレーコーティング、または他の同様の方法）によって布に付与され得る。
【００１３】
ここで図２を参照して、本発明に使用される針２００の一実施態様の部分拡大図を示す。針２００は、鋭末端２１０と、針２００の長さに沿ってノッチ２２０を有する。針２００の鋭末端２１０は、布の糸を通る針２００の通過を可能にする。針２００のノッチ２２０は、針２００が布の糸を通過する際、糸の繊維を拾い上げまたは（フック）する。針２００が隣接糸を通過し続ける際、針２００のノッチ２２０によって予めフックされた繊維は、布の隣接糸の主体中に移動される。針２００による繊維の運動は、起源となる糸から繊維を引き伸ばすか、または引っ張る。針２００付近の自由末端を有する繊維について、該繊維は、繊維の自由末端がノッチ２２０を通過するか、または針２００がその運動の末端に到達するまで、そして繊維が隣接糸中に配置されるまで、針２００のノッチ２２０について行く。他の繊維について、該繊維は、針２００がその運動の末端に到達するか、または繊維中の緊張がノッチ２２０から繊維を自由にするか、あるいは繊維がちぎれるまで、隣接糸中を通る。針について行き、そして針から自由になるか、またはちぎれる繊維の部分は、繊維のその部分を隣接糸中に置く。結果は、隣接糸の主体中への糸の繊維および／またはフィラメントの部分の直接的な正の動きであり、および／または、繊維および／またはフィラメントの部分は、二つの隣接糸の主体の間に固定され、隣接糸の主体内に直接的にアンカーを作る。隣接糸中に固定された繊維および／またはフィラメントは、布の糸の間に接続部を形成する。対照的に、水流絡合のような方法は、繊維を糸の主体の外部にせしめて、別の糸の主体の外部の繊維と絡ませ、該成分の間により少ない直接接続部を与える。さらに、水流絡合は、フィラメント糸に安定性を与えるための制限された能力を有する。なぜなら、糸の主体から自由にされ、他の糸由来のフィラメントと絡み得る、フィラメントの自由末端が存在しないか、ほとんど存在しないためである。
【実施例】
【００１４】
（実施例１）
布を５本のフィル糸上に浮かぶ縦糸および５本の縦糸上に浮かぶフィル糸のパターンで織った。布は、２／３００／１３６  ５６Ｔポリエステルフィラメント糸から織った。次いで、布をニードリング加工して布の糸の間に接続部を形成した。Dilo Hyperpunch Double Needle Loom（Dilo Manufacturing Co.）を使用して、布と針床との間の機械方向の相対運動をほとんど有しないか、有しないニードリング運動によって布を針で縫う。針床は、６個のノッチ（針のコーナーエッジ当たり２個）を有する三角形針であるGroz-Beckert F222針を含有した。布の１平方センチメートル当たり約３００回の針の挿入がなされるのに十分な時間、針床を布の両側に挿入した。針の挿入は、布に絡められた針中のノッチの４個の深さであった。ニードリング加工は、糸の浮かぶ部分の領域中に糸１ミリメートル当たり約０．５〜約１個の接続部、そして布中の糸の浮糸領域中にフィラメント１インチ当たり約０．０４７〜約０．０９３個の接続部を生じさせたことが判明した。
【００１５】
（実施例２）
４本のフィル糸上に浮かぶ縦糸、および４本の縦糸上に浮かぶフィル糸を有するパターンとした以外、布を実施例１と同じ糸から形成した。次いで、布を、実施例１と同様に同じニードリング装置および針を使用してニードリング加工した。針床を、布のセンチメートル当たり約３００回の針の挿入がなされるのに十分な時間、布の両側に挿入した。針を、４個のノッチが布に絡む深さに挿入した。加工は、布中に浮かんだ糸の領域中に糸１ミリメートル当たり約１．１６個の接続部、そして同一領域中にフィラメント１インチ当たり約０．１０８個の接続部を生じさせたことが判明した。
【００１６】
（実施例３）
３本のフィル糸上に浮かぶ縦糸、および３本の縦糸上に浮かぶフィル糸を有するパターンとした以外、布を実施例１と同じ糸から形成した。次いで、布を、実施例１と同様に同じニードリング装置および針を使用してニードリング加工した。布を、平方センチメートル当たり約３００回の針の挿入がなされるのに十分な時間、４個のノッチが布に絡む深さに針を挿入して、布の両側を針で縫った。加工は、糸の浮かぶ領域中に糸１ミリメートル当たり約１．８８個の接続部、そして同一領域中にフィラメント１インチ当たり約０．１７５個の接続部を生じさせた。
なお、本発明には、以下の態様が含まれる。
〔１〕  第一方向に配置された、各々の第一糸が複数の第一糸フィラメントの第一糸主体を含んでなる、第一糸セットと、
第二方向に配置された、各々の第二糸が複数の第二糸フィラメントの第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、フィラメント１インチ当たり約０．０１個の第一糸接続部ないしフィラメント１インチ当たり約０．５個の第一糸接続部を有し、
第一糸接続部は、第一糸から隣接第二糸の第二糸主体中へと伸びる第一糸フィラメントおよび第二糸上に浮かぶ第一糸の第一糸主体中へと伸びる第二糸フィラメントであり；および
複数の第二糸は、３〜２０本の第一糸上に浮かび、
第一糸上に浮かぶ第二糸は、フィラメント１インチ当たり約０．０１個の第二糸接続部ないしフィラメント１インチ当たり約０．５個の第二糸接続部を有し、
第二糸接続部は、第二糸から隣接第一糸の第一糸主体中へと伸びる第二糸フィラメントおよび第一糸上に浮かぶ第二糸の第二糸主体中へと伸びる第一糸フィラメントである、織布。
〔２〕  第二糸上に浮かぶ各第一糸との第一糸接続部は、フィラメント１インチ当たり約０．０４個の第一糸接続部ないしフィラメント１インチ当たり約０．２個の第一糸接続部である、上記〔１〕に記載の織布。
〔３〕  第一糸上に浮かぶ各第二糸との第二糸接続部は、フィラメント１インチ当たり約０．０４個の第二糸接続部ないしフィラメント１インチ当たり約０．２個の第二糸接続部である、上記〔１〕に記載の織布。
〔４〕  第一糸は、さらにステープル繊維を含んでなる、上記〔１〕に記載の織布。
〔５〕  第二糸は、さらにステープル繊維を含んでなる、上記〔４〕に記載の織布。
〔６〕  第一方向に配置された、各々の第一糸が複数の第一糸フィラメントの第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、フィラメント１インチ当たり約０．０１個の接続部ないしフィラメント１インチ当たり約０．５個の接続部を有し、
接続部は、第一糸から隣接第二糸の第二糸主体中へと伸びる第一糸フィラメントおよび第二糸上に浮かぶ第一糸の第一糸主体中へと伸びる第二糸繊維である、織布。
〔７〕  第二糸上に浮かぶ各第一糸の間の接続部は、フィラメント１インチ当たり約０．０４個の接続部ないしフィラメント１インチ当たり約０．２個の接続部である、上記〔６〕に記載の織布。
〔８〕  第一糸は、さらにステープル繊維を含んでなる、上記〔６〕に記載の織布。
〔９〕  第二糸繊維は、フィラメント繊維を含んでなる、上記〔６〕に記載の織布。
〔１０〕  第二糸繊維は、ステープル繊維を含んでなる、上記〔６〕に記載の織布。
〔１１〕  第二糸繊維は、ステープル繊維およびフィラメント繊維を含んでなる、上記〔６〕に記載の織布。
〔１２〕  第一方向に配置された、各々の第一糸が複数の第一糸繊維の第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、糸１ミリメートル当たり約０．１個の第一糸接続部ないし糸１ミリメートル当たり約５個の第一糸接続部を有し、
第一糸接続部は、第一糸から隣接第二糸の第二糸主体中へと伸びる第一糸繊維および第二糸上に浮かぶ第一糸の第一糸主体中へと伸びる第二糸繊維であり；および
複数の第二糸は、３〜２０本の第一糸上に浮かび、
第一糸上に浮かぶ第二糸は、糸１ミリメートル当たり約０．１個の第二糸接続部ないし糸１ミリメートル当たり約５個の第二糸接続部を有し、
第二糸接続部は、第二糸から隣接第一糸の第一糸主体中へと伸びる第二糸繊維および第一糸上に浮かぶ第二糸の第二糸主体中へと伸びる第一糸繊維である、織布。
〔１３〕  第二糸上に浮かぶ各第一糸との第一糸接続部は、糸１ミリメートル当たり約０．４個の第一糸接続部ないし糸１ミリメートル当たり約２個の第一糸接続部である、上記〔１２〕に記載の織布。
〔１４〕  第一糸上に浮かぶ各第二糸との第二糸接続部は、糸１ミリメートル当たり約０．４個の第二糸接続部ないし糸１ミリメートル当たり約２個の第二糸接続部である、上記〔１２〕に記載の織布。
〔１５〕  第一糸繊維は、フィラメント繊維を含んでなる、上記〔１２〕に記載の織布。
〔１６〕  第二糸繊維は、フィラメント繊維を含んでなる、上記〔１５〕に記載の織布。
〔１７〕  第二糸繊維は、ステープル繊維を含んでなる、上記〔１５〕に記載の織布。
〔１８〕  第二糸繊維は、ステープル繊維およびフィラメント繊維を含んでなる、上記〔１５〕に記載の織布。
〔１９〕  第一糸繊維は、ステープル繊維を含んでなる、上記〔１２〕に記載の織布。
〔２０〕  第二糸繊維は、ステープル繊維を含んでなる、上記〔１９〕に記載の織布。
〔２１〕  第二糸繊維は、ステープル繊維およびフィラメント繊維を含んでなる、上記〔１９〕に記載の織布。
〔２２〕  第一糸繊維は、ステープル繊維およびフィラメント繊維を含んでなる、上記〔１２〕に記載の織布。
〔２３〕  第二糸繊維は、ステープル繊維およびフィラメント繊維を含んでなる、上記〔２２〕に記載の織布。
〔２４〕  第一方向に配置された、各々の第一糸が複数の第一糸繊維の第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、糸１ミリメートル当たり約０．１個の接続部ないし糸１ミリメートル当たり約５個の接続部を有し、
接続部は、第一糸から隣接第二糸の第二糸主体中へと伸びる第一糸繊維および第二糸上に浮かぶ第一糸の第一糸主体中へと伸びる第二糸繊維である、織布。
〔２５〕  第二糸上に浮かぶ各第一糸の間の接続部は、糸１ミリメートル当たり約０．４個の接続部ないし糸１ミリメートル当たり約２個の接続部である、上記〔２４〕に記載の織布。
〔２６〕  第一糸繊維は、フィラメント繊維を含んでなる、上記〔２４〕に記載の織布。
〔２７〕  第二糸繊維は、フィラメント繊維を含んでなる、上記〔２６〕に記載の織布。
〔２８〕  第二糸繊維は、ステープル繊維を含んでなる、上記〔２６〕に記載の織布。
〔２９〕  第二糸繊維は、ステープル繊維およびフィラメント繊維を含んでなる、上記〔２６〕に記載の織布。
〔３０〕  第一糸繊維は、ステープル繊維を含んでなる、上記〔２４〕に記載の織布。
〔３１〕  第二糸繊維は、ステープル繊維を含んでなる、上記〔３０〕に記載の織布。
〔３２〕  第二糸繊維は、ステープル繊維およびフィラメント繊維を含んでなる、上記〔３０〕に記載の織布。
〔３３〕  第一糸繊維は、ステープル繊維およびフィラメント繊維を含んでなる、上記〔２４〕に記載の織布。
〔３４〕  第二糸繊維は、ステープル繊維およびフィラメント繊維を含んでなる、上記〔３３〕に記載の織布。
【図面の簡単な説明】
【００１７】
【図１】図１は、本発明に組み込まれる浮糸を有する布の拡大断面図である。
【図２】図２は、本発明に使用される針の部分拡大図である。
【図１】
0004599589.tif 000002
【図２】
0004599589.tif 000003